(57)【特許請求の範囲】
【請求項１】
地面に沿って複数配列して護岸構造物を形成するためのブロックであって、
互いに平行をなす少なくとも一対の周面部を有する平板形状の本体部と、前記本体部の一方の前記周面部に設けられた凸状の複数の第一連結部と、前記本体部の他方の周面部に前記第一連結部とファスナ状に係合可能な形状に設けられた凸状の複数の第二連結部と、前記本体部にその表面側に開口した状態に設けられた複数の有底穴と、を備え、
前記有底穴に水抜き用の貫通孔を設け、
複数の前記ブロックを、それぞれの前記第一連結部と前記第二連結部とをファスナ状に係合させて配列したとき、前記第一連結部と前記第二連結部との分離を阻止する凹凸嵌合機構として、前記第一連結部と前記第二連結部との隣接領域における前記第一連結部に前記本体部の表面側に開口する凹溝を設け、前記第二連結部に前記凹溝内に嵌入可能な凸部を設けたブロック。
【請求項２】
前記有底穴の表面開口部が多角形状である請求項１記載のブロック。
【発明の詳細な説明】
【技術分野】
【０００１】
本発明は、自然環境や水辺の生態系に悪影響を及ぼすことなく、河川の堤防や海岸などの浸食を防止可能な護岸構造物を構築するためのブロックに関する。
【背景技術】
【０００２】
護岸構造物を構築するためのブロックについては、従来、様々な形状、構造のものが提案されているが、本発明に関連するブロックとして、例えば、特許文献１記載の「連節式ブロックマット」がある。
【０００３】
特許文献１記載のブロックマットは、施工対象となる斜面に沿って敷設されるシート部材と、シート部材上に配列される複数のブロック本体などによって構成されている。ブロック本体は、輪郭が凹凸形状をなし、垂直方向の離脱防止用嵌着型凹凸ヒンジ係止部と、円形穴部などを有している。
【０００４】
特許文献１に記載されているブロック本体は、敷設時の位置合わせが容易であり、曲面及び折れ面での敷設対応が可能であるなどの長所を備え、中央部に複数の円形穴部が設けられているので、敷設後、植生・緑化も可能である。
【先行技術文献】
【特許文献】
【０００５】
【特許文献１】特開２００６−４５９９０号公報
【発明の概要】
【発明が解決しようとする課題】
【０００６】
前述したように、特許文献１に記載されているブロック本体は中央部に複数の円形穴部が設けられているので、施工後、土砂が充填された円形穴部において植物の生育が可能であるが、円形穴部はブロック本体を貫通しているので、高木類の樹木の種子が根付くと、地中深く根を張って、人間の背丈より大きく生育し、邪魔になることがある。
【０００７】
本発明が解決しようとする課題は、敷設が容易で、曲面や折れ面にも敷設することができ、施工後の緑化が可能であって且つ背の高い植物が生育し難いブロックを提供することにある。
【課題を解決するための手段】
【０００８】
本発明のブロックは、地面に沿って複数配列して護岸構造物を形成するためのブロックであって、互いに平行をなす少なくとも一対の周面部を有する平板形状の本体部と、前記本体部の一方の前記周面部に設けられた凸状の複数の第一連結部と、前記本体部の他方の周面部に前記第一連結部とファスナ状に係合可能な形状に設けられた凸状の複数の第二連結部と、前記本体部にその表面側に開口した状態に設けられた複数の有底穴と、を備え、
前記有底穴に水抜き用の貫通孔を設け、
複数の前記ブロックを、それぞれの前記第一連結部と前記第二連結部とをファスナ状に係合させて配列したとき、前記第一連結部と前記第二連結部との分離を阻止する凹凸嵌合機構として、前記第一連結部と前記第二連結部との隣接領域における前記第一連結部に前記本体部の表面側に開口する凹溝を設け、前記第二連結部に前記凹溝内に嵌入可能な凸部を設けたことを特徴とする。
【０００９】
また、本発明のブロックにおいては、複数の前記ブロックを、それぞれの前記第一連結部と前記第二連結部とをファスナ状に係合させて配列したとき、前記第一連結部と前記第二連結部との分離を阻止する凹凸嵌合機構を前記第一連結部と前記第二連結部との隣接領域に設けている。
【００１０】
さらに、本発明のブロックにおいては、前記凹凸嵌合機構として、前記第一連結部に前記本体部の表面側に開口する凹溝を設け、前記第二連結部に前記凹溝内に嵌入可能な凸部を設けている。
【００１１】
一方、本発明のブロックにおいては、前記有底穴に水抜き用の貫通孔を設けている。
【００１２】
また、前記有底穴の表面開口部を多角形状とすることができる。
【発明の効果】
【００１３】
本発明により、敷設が容易で、曲面や折れ面にも敷設することができ、施工後の緑化が可能であって且つ背の高い植物が生育し難いブロックを提供することができる。
【図面の簡単な説明】
【００１４】
【図１】本発明の実施形態であるブロックの表面側を示す斜視図である。
【図２】本発明の実施形態であるブロックの表面側を示す斜視図である。
【図３】本発明の実施形態であるブロックの裏面側を示す斜視図である。
【図４】本発明の実施形態であるブロックの裏面側を示す斜視図である。
【図５】図１に示すブロックを複数配列した状態を示す図である。
【図６】図５中の矢線Ｘ方向から見た側面図である。
【図７】図１に示すブロックを法面に敷設した状態を示す垂直断面図である。
【図８】図１に示すブロックのその他の配列形態を示す図である。
【図９】その他の実施形態であるブロックの表面側を示す斜視図である。
【図１０】図９に示すブロックの配列形態を示す図である。
【図１１】図９に示すブロックのその他の配列形態を示す図である。
【発明を実施するための形態】
【００１５】
以下、図１〜図８に基づいて、本発明の実施形態であるブロック１００について説明する。図１〜図４に示すように、本実施形態のブロック１００は、地面に沿って複数配列して護岸構造物を形成するための建設資材であって、互いに平行をなす二対の周面部１３，１４（１５，１６）を有する四角形で平板形状の本体部１０と、本体部１０の一方の周面部１３に設けられた凸状の第一連結部１１と、本体部１０の他方の周面部１４に第一連結部１１とファスナ状に係合可能な形状に設けられた凸状の第二連結部１２ａ，１２ｂと、本体部１０にその表面１０ａ側に開口した状態に設けられた複数の有底穴１７と、を備えている。
【００１６】
図５に示すように、複数のブロック１００を、それぞれの第一連結部１１と第二連結部１２ａ，１２ｂとを交互にファスナ状に係合させて配列したとき、第一連結部１１と第二連結部１２ａ，１２ｂとの分離を阻止する凹凸嵌合機構として、第一連結部１１に凹溝２１が設けられ、凹溝２１内に嵌入可能な凸部２２が第二連結部１２ａ，１２ｂに設けられている。凹溝２１は、本体部１０の表面１０ａ側に開口する断面半円形状をなし、凸部２２は円柱状をなしている。凹溝２１及び凸部２２は、複数のブロック１００を配列したときに第一連結部１１と第二連結部１２とが隣接する領域に設けられている。
【００１７】
凹溝２１は、その長手方向が周面部１３と平行をなすような状態で第一連結部１１の両側に設けられている。凸部２２は、その軸心方向が周面部１４と平行をなすような状態で、周面部１４の中央に位置する第二連結部１２ａの両側と、周面部１５，１６寄りに位置する第二連結部１２ｂの中央寄りの片側に突設されている。第一連結部１１は２個設けられ、第二連結部１２ａ，１２ｂは３個設けられているが、個数は限定されない。
【００１８】
図５に示すように、複数のブロック１００を連結したとき、隣接するブロック１００の凹溝２１と凸部２２が周面部１３，１４と平行な同一直線上に並ぶように嵌合されるので、隣接するブロック１００同士は凹溝２１及び凸部２２を中心に蝶番状に折れ曲がることができる。
【００１９】
なお、図５に示す配列においては、複数のブロック１００を千鳥状に配列（周面部１５，１６と平行方向に隣接するブロック１００同士を、周面部１３，１４と平行方向にブロック１００の周面部１３，１４方向のサイズの半分の距離だけ変位させた状態に配列）しているので、ブロック１００のみを配列した場合、図５に示す構造物の左右側縁部分が凹凸状となるが、ブロック１００の半分サイズのブロック５０を凹状部分に配置することにより、左右側縁部分を直線状にしている。ブロック５０は、ブロック１００の周面部１３，１４と平行方向の半分の位置において、周面部１５，１６と平行方向に切断したサイズ、形状を有している。
【００２０】
有底穴１７の表面開口部は六角形であり、底部に向かって縮径した形状をなしている。有底穴１７の底部には本体部１０の裏面１０ｂに開口した水抜き用の貫通孔１８が設けられている。周面部１５，１６に面する有底穴１７ａは、有底穴１７を半分に縦割りした形状をなし、それぞれ周面部１５，１６に開口している。有底穴１７の表面開口部は六角形であるが、これに限定しないので、その他の多角形あるいは円形や楕円形などとすることもできる。
【００２１】
次に、図６，図７に基づいてブロック１００，５０を用いた護岸構造物の施工について説明する。図７に示すように、施工対象となる河川Ｒの堤防Ｇの法面に沿って遮水シート３０を敷設し、遮水シート３０の表面にブロック１００，５０を配列する。このとき、図５，図６に示すように、上下に隣接するブロック１００同士は、それぞれの第一連結部１１と第二連結部１２ａ，１２ｂとを交互にファスナ状に連結することによって互いに固定される。
【００２２】
複数のブロック１００，５０を縦横に配列すると、法面は複数のブロック１００，５０によって隙間なく覆われた状態となる。この後、各ブロック１００，５０の本体部１０の有底穴１７，１７ａに土砂などを充填したり、場合によっては覆土したりすると、護岸構造物の施工が完了する。
【００２３】
上下に隣り合うブロック１００同士は第一連結部１１と第二連結部１２ａ，１２ｂとを連結させることにより一体化するので、流体力に対して優れた抵抗力を発揮することができる。また、ブロック１００，５０を配列する場合、その他の連結作業を行う必要がないので、敷設作業も容易である。また、連結部分にて折れ曲がることができるので、堤防Ｇの法面に曲面や折れ面があってもそれに沿って敷設することができる。
【００２４】
また、複数の有底穴１７，１７ａに充填された土砂の部分では植物が生育できるので、施工後の緑化が可能である。複数の有底穴１７，１７ａの底部は貫通孔１８を除いて閉塞されているので、有底穴１７，１７ａ中で生育する植物が堤防Ｇの地盤に向かって深く根を張ることができない。このため、有底穴１７，１７ａにおいて生育できる植物は背の低い草花に限られる結果、背の高い植物の生育を防ぐことができる。有底穴１７の底部には水抜き用の貫通孔１８が設けられているので、有底穴１７内に余分な水が貯留されることもない。
【００２５】
次に、図８に基づいて、ブロック１００のその他の配列形態について説明する。図５に示す配列形態においては複数のブロック１００を千鳥状に配列しているが、これに限定しないので、図８に示すように、複数のブロック１００を周面部１３，１４と平行方向に変位させることなく、周面部１５，１６と平行方向に直列をなすように配列することもできる。
【００２６】
次に、図９〜図１１に基づいて、本発明のその他の実施形態であるブロック２００について説明する。なお、ブロック２００において、図１〜４に示すブロック１００の構成部分と共通する部分については図１〜図４中の符号と同符号を付して説明を省略する。
【００２７】
図９に示すように、本実施形態のブロック１００ｘは、互いに平行をなす二対の周面部１３，１４（１５，１６）を有する四角形で平板形状の本体部１０ｘと、本体部１０ｘの一方の周面部１３に設けられた凸状の第一連結部１１と、本体部１０ｘの他方の周面部１４に第一連結部１１とファスナ状に係合可能な形状に設けられた凸状の第二連結部１２ａと、本体部１０ｘにその表面１０ａ側に開口した状態に設けられた複数の有底穴１７と、を備えている。
【００２８】
図１０に示すように、複数のブロック１００を、それぞれの第一連結部１１と第二連結部１２ａとを交互にファスナ状に係合させて配列したとき、第一連結部１１と第二連結部１２ａとの分離を阻止する凹凸嵌合機構として、第一連結部１１に凹溝２１が設けられ、第二連結部１２ａに凹溝２１内に嵌入可能な凸部２２が設けられている。凹溝２１は、本体部１０ｘの表面１０ａ側に開口する断面半円形状をなし、凸部２２は円柱状をなしている。凹溝２１及び凸部２２は、複数のブロック１００ｘを配列したときに第一連結部１１と第二連結部１２とが隣接する領域に設けられている。
【００２９】
凹溝２１は、その長手方向が周面部１３と平行をなすような状態で第一連結部１１の両側に設けられている。凸部２２は、その軸心方向が周面部１４と平行をなすような状態で第二連結部１２ａの両側に突設されている。第一連結部１１は周面部１３の長手方向に沿って２個設けられ、第二連結部１２ａは周面部１４の長手方向に沿って２個設けられているが、個数は限定されない。
【００３０】
図１０に示すように、複数のブロック１００ｘを連結したとき、隣接するブロック１００ｘの凹溝２１と凸部２２が周面部１３，１４と平行な同一直線上に並ぶように嵌合されるので、隣接するブロック１００ｘ同士は連結部分にて折れ曲がることができる。
【００３１】
図１０に示す配列形態においては、周面部１５，１６と平行方向に隣接するブロック１００ｘ同士を、周面部１３，１４と平行方向にブロック１００ｘの周面部１３，１４の長手方向のサイズの１／４の距離だけ変位させた状態にして、複数のブロック１００ｘを配列している。この場合、ブロック１００ｘのみを配列した場合、図１０に示す構造物の左右側縁部分が凹凸状となるが、ブロック１００ｘの３／４サイズのブロック７５Ｌ，７５Ｒを凹状部分に配置することにより、左右側縁部分を直線状にしている。ブロック７５Ｌ，７５Ｒは、ブロック１００ｘの周面部１３，１４の長さ方向の右端から（または左端から）１／４の位置において、周面部１５，１６と平行方向に切断して１／４の部分を削除したようなサイズ、形状を有している。
【００３２】
一方、図１１に示す配列形態においては、複数のブロック１００ｘ及び７５Ｌ，７５Ｒと、図５に示すブロック５０と、を組み合わせて配列している。このように、複数のブロック１００ｘ，５０，７５Ｌ，７５Ｒを組み合わせて配列することによって左右側縁部を直線状に形成することもできる。
【００３３】
なお、図１〜図１１に基づいて説明したブロック１００，５０，１００ｘ，７５Ｌ，７５Ｒは、本発明を例示するものであり、本発明のブロックは前述したブロック１００，５０，１００ｘ，７５Ｌ，７５Ｒに限定されない。
【産業上の利用可能性】
【００３４】
本発明のブロックは、河川の堤防や海岸などの浸食を防止するために施工される護岸構造物の建設資材として、土木建設業などの分野において広く利用することができる。
【符号の説明】
【００３５】
１０  本体部
１１  第一連結部
１２ａ，１２ｂ  第二連結部
１３，１４，１５，１６  周面部
１７，１７ａ  有底穴
１８  貫通孔
２１  凹溝
２２  凸部
３０  遮水シート
５０，７５Ｌ，７５Ｒ，１００ｘ，１００  ブロック
Ｇ  堤防
Ｒ  河川
【図１】
0006400411.tif 000002
【図２】
0006400411.tif 000003
【図３】
0006400411.tif 000004
【図４】
0006400411.tif 000005
【図５】
0006400411.tif 000006
【図６】
0006400411.tif 000007
【図７】
0006400411.tif 000008
【図８】
0006400411.tif 000009
【図９】
0006400411.tif 000010
【図１０】
0006400411.tif 000011
【図１１】
0006400411.tif 000012